(57)【要約】【課題】画像配信システムと図書館業務管理システムとの連携を図り、ユーザーの作業を簡単化する。【解決手段】図書の書誌情報を記憶し、図書館の業務を管理する業務管理システムとネットワークを介して接続される画像配信システムであって、図書の一部を読み込んで画像データを生成する読込手段と、読込手段により生成された画像データに含まれる情報を用いて、業務管理システムから、読み込まれた図書に対応する書誌情報を取得する取得手段と、取得手段により取得された書誌情報が付与された画像データを配信する配信手段と、を備える。【選択図】図８
2012053856.tif 000002
【特許請求の範囲】
【請求項１】
図書の書誌情報を記憶し、図書館の業務を管理する業務管理システムとネットワークを介して接続される画像配信システムであって、
図書の一部を読み込んで画像データを生成する読込手段と、
前記読込手段により生成された画像データに含まれる情報を用いて、前記業務管理システムから、読み込まれた図書に対応する書誌情報を取得する取得手段と、
前記取得手段により取得された書誌情報が付与された前記画像データを配信する配信手段と、
前記生成された画像データに文字認識処理を行う認識処理手段と、
ユーザーにより受入処理が選択された場合、前記認識処理手段により文字認識された情報を前記図書の書誌情報とし、該書誌情報を前記業務管理システムに登録するよう要求する登録要求手段と、
ユーザーを識別するためのユーザー情報を取得するユーザー情報取得手段と、
ユーザーにより貸出処理が選択された場合、前記ユーザー情報取得手段により取得されたユーザー情報及び前記認識処理手段により文字認識された図書の書誌情報を関連付け、関連付けられた前記ユーザー情報及び前記書誌情報を用いて貸出処理を行うよう前記業務管理システムに要求する貸出要求手段と、
を備える画像配信システム。
【請求項２】
ユーザーにより返却処理が選択された場合、前記認識処理手段により文字認識された図書の書誌情報を用いて返却処理を行うよう前記業務管理システムに要求する返却要求手段と、
をさらに備える請求項１記載の画像配信システム。
【請求項３】
ユーザーにより検索処理が選択された場合、前記認識処理手段により文字認識された図書の書誌情報に類似する書誌情報を有する図書の検索処理を行うよう前記業務管理システムに要求する検索要求手段と、
前記業務管理システムから取得した検索結果を表示制御する表示制御手段と、
をさらに備える請求項１又は２記載の画像配信システム。
【請求項４】
図書の書誌情報を記憶し、図書館の業務を管理する業務管理システムと画像形成装置とネットワークを介して接続される画像処理装置であって、
図書の一部を読み込んで生成された画像データを前記画像形成装置から取得する第１取得手段と、
前記取得手段により取得された画像データに含まれる情報を用いて、前記業務管理システムから、読み込まれた図書に対応する書誌情報を取得する第２取得手段と、
前記第２取得手段により取得された書誌情報が付与された前記画像データを配信する配信手段と、
前記生成された画像データに文字認識処理を行う認識処理手段と、
前記認識処理手段により文字認識された情報を前記図書の書誌情報とし、該書誌情報の登録処理を行うよう前記業務管理システムに要求する登録要求手段と、
前記画像形成装置からユーザーを識別するためのユーザー情報を取得するユーザー情報取得手段と、
ユーザーにより貸出処理が選択された場合、前記ユーザー情報取得手段により取得されたユーザー情報及び前記認識処理手段により文字認識された図書の書誌情報を関連付け、関連付けられた前記ユーザー情報及び前記書誌情報を用いて貸出処理を行うよう前記業務管理システムに要求する貸出要求手段と、
を備える画像処理装置。
【請求項５】
ユーザーにより返却処理が選択された場合、前記認識処理手段により文字認識された図書の書誌情報を用いて返却処理を行うよう前記業務管理システムに要求する返却要求手段と、
をさらに備える請求項４記載の画像処理装置。
【請求項６】
ユーザーにより検索処理が選択された場合、前記認識処理手段により文字認識された図書の書誌情報に類似する書誌情報を有する図書の検索処理を行うよう前記業務管理システムに要求する検索要求手段と、
前記業務管理システムから取得した検索結果を前記画像形成装置に送信する送信手段と、
をさらに備える請求項４又は５記載の画像処理装置。
【請求項７】
図書の書誌情報を記憶し、図書館の業務を管理する業務管理システムとネットワークを介して接続される画像配信システムにおける画像処理方法であって、
図書の一部を読み込んで画像データを生成する読込ステップと、
前記読込ステップにより生成された画像データに含まれる情報を用いて、前記業務管理システムから、読み込まれた図書に対応する書誌情報を取得する取得ステップと、
前記取得ステップにより取得された書誌情報が付与された前記画像データを配信する配信ステップと、
前記生成された画像データに文字認識処理を行う認識処理ステップと、
前記認識処理ステップにより文字認識された情報を前記図書の書誌情報とし、該書誌情報の登録処理を行うよう前記業務管理システムに要求し、図書館業務の受入業務に関する処理を提供するステップと、
ユーザーを識別するためのユーザー情報を取得するユーザー情報取得ステップと、
ユーザーにより貸出処理が選択された場合、前記ユーザー情報取得ステップにより取得されたユーザー情報及び前記認識処理ステップにより文字認識された図書の書誌情報を関連付け、関連付けられた前記ユーザー情報及び前記書誌情報を用いて貸出処理を行うよう前記業務管理システムに要求し、図書館業務の貸出業務に関する処理を提供するステップと、
を有する画像処理方法。
【請求項８】
図書の書誌情報を記憶し、図書館の業務を管理する業務管理システムと画像形成装置とネットワークを介して接続される画像処理装置に実行される画像処理プログラムであって、
図書の一部を読み込んで生成された画像データを前記画像形成装置から取得する第１取得ステップと、
前記取得ステップにより取得された画像データに含まれる情報を用いて、前記図書館業務管理システムから、読み込まれた図書に対応する書誌情報を取得する第２取得ステップと、
前記第２取得ステップにより取得された書誌情報が付与された前記画像データを配信する配信ステップと、
前記生成された画像データに文字認識処理を行う認識処理ステップと、
前記認識処理ステップにより文字認識された情報を前記図書の書誌情報とし、該書誌情報の登録処理を行うよう前記業務管理システムに要求し、図書館業務の受入業務に関する処理を提供するステップと、
ユーザーを識別するためのユーザー情報を取得するユーザー情報取得ステップと、
ユーザーにより貸出処理が選択された場合、前記ユーザー情報取得ステップにより取得されたユーザー情報及び前記認識処理ステップにより文字認識された図書の書誌情報を関連付け、関連付けられた前記ユーザー情報及び前記書誌情報を用いて貸出処理を行うよう前記業務管理システムに要求し、図書館業務の貸出業務に関する処理を提供するステップと、
を画像処理装置に実行させるための画像処理プログラム。
【請求項９】
請求項８記載の画像処理プログラムを記録したコンピュータ読み取り可能な記録媒体。
【発明の詳細な説明】
【技術分野】
【０００１】
本発明は、画像配信システム、画像処理装置、画像処理方法、画像処理プログラム及び記録媒体に関する。
【背景技術】
【０００２】
近年、多くの企業において、多機能複合機などの画像入出力機器のネットワーク上への配置・接続が進んでいる。画像入出力機器は、業務の効率化を図る手段として大きな役割を担っている。特に、紙文書の電子化と配布を効率的に行う画像配信システムが重要になっている。
【０００３】
画像配信システムを構成する大きな要素は、画像入力機器（例えばスキャナなど）と画像配信装置である。画像配信装置には、あらかじめさまざまな業務・用途にあわせた複数の配信処理メニューが登録されている。ユーザーは、スキャナのオペレーションパネルから、業務に適した処理メニューを選択してスキャンを行う。
【０００４】
例えば、特許文献１には、文書を読み込んで取得した画像データを配信する際に、書誌情報の入力を可能にし、画像データに書誌情報を付加して配信処理を行う技術が開示されている。
【０００５】
一方、近年のコンピュータ及びネットワークをはじめとする情報関連技術のめざましい発展により、図書館においてもコンピュータ等を用いた図書に関する各種情報の取得・管理がなされており、図書館業務における情報の電子化・オンライン化が進められている。
【０００６】
例えば、特許文献２には、図書館の運用に合わせた作業ワークフローが構築でき、図書館における作業状況を管理しやすくする技術が開示されている。
【発明の概要】
【発明が解決しようとする課題】
【０００７】
ところで、特許文献１の画像配信システムは、画像データの書誌情報をＭＦＰのオペレーションパネル上で入力する必要があり、ユーザーにとって煩雑な処理を強いることになる。
【０００８】
また、特許文献２に記載の図書館情報管理システムは、専門知識を有する図書館職員を必要とし、図書館職員が図書の書誌情報を入力項目に一つ一つ入力する必要があり、図書館業務を煩雑にしている。
【０００９】
そこで、本発明は、上記問題点に鑑みてなされたものであり、図書館業務管理システムと連携を図り、ユーザーの作業を簡単化する仕組みを提供する画像配信システム、画像処理装置、画像処理方法、画像処理プログラム及び記録媒体を提供することを目的とする。
【課題を解決するための手段】
【００１０】
本発明における一態様の画像配信システムは、図書の書誌情報を記憶し、図書館の業務を管理する業務管理システムとネットワークを介して接続される画像配信システムであって、図書の一部を読み込んで画像データを生成する読込手段と、前記読込手段により生成された画像データに含まれる情報を用いて、前記業務管理システムから、読み込まれた図書に対応する書誌情報を取得する取得手段と、前記取得手段により取得された書誌情報が付与された前記画像データを配信する配信手段と、前記生成された画像データに文字認識処理を行う認識処理手段と、ユーザーにより受入処理が選択された場合、前記認識処理手段により文字認識された情報を前記図書の書誌情報とし、該書誌情報を前記業務管理システムに登録するよう要求する登録要求手段と、ユーザーを識別するためのユーザー情報を取得するユーザー情報取得手段と、ユーザーにより貸出処理が選択された場合、前記ユーザー情報取得手段により取得されたユーザー情報及び前記認識処理手段により文字認識された図書の書誌情報を関連付け、関連付けられた前記ユーザー情報及び前記書誌情報を用いて貸出処理を行うよう前記業務管理システムに要求する貸出要求手段と、を備える。
【００１１】
また、本発明における他の態様の画像処理装置は、図書の書誌情報を記憶し、図書館の業務を管理する業務管理システムと画像形成装置とネットワークを介して接続される画像処理装置であって、図書の一部を読み込んで生成された画像データを前記画像形成装置から取得する第１取得手段と、前記取得手段により取得された画像データに含まれる情報を用いて、前記業務管理システムから、読み込まれた図書に対応する書誌情報を取得する第２取得手段と、前記第２取得手段により取得された書誌情報が付与された前記画像データを配信する配信手段と、前記生成された画像データに文字認識処理を行う認識処理手段と、前記認識処理手段により文字認識された情報を前記図書の書誌情報とし、該書誌情報の登録処理を行うよう前記業務管理システムに要求する登録要求手段と、前記画像形成装置からユーザーを識別するためのユーザー情報を取得するユーザー情報取得手段と、ユーザーにより貸出処理が選択された場合、前記ユーザー情報取得手段により取得されたユーザー情報及び前記認識処理手段により文字認識された図書の書誌情報を関連付け、関連付けられた前記ユーザー情報及び前記書誌情報を用いて貸出処理を行うよう前記業務管理システムに要求する貸出要求手段と、を備える。
【００１２】
また、本発明における他の態様の画像処理方法は、図書の書誌情報を記憶し、図書館の業務を管理する業務管理システムとネットワークを介して接続される画像配信システムにおける画像処理方法であって、図書の一部を読み込んで画像データを生成する読込ステップと、前記読込ステップにより生成された画像データに含まれる情報を用いて、前記業務管理システムから、読み込まれた図書に対応する書誌情報を取得する取得ステップと、前記取得ステップにより取得された書誌情報が付与された前記画像データを配信する配信ステップと、前記生成された画像データに文字認識処理を行う認識処理ステップと、前記認識処理ステップにより文字認識された情報を前記図書の書誌情報とし、該書誌情報の登録処理を行うよう前記業務管理システムに要求し、図書館業務の受入業務に関する処理を提供するステップと、ユーザーを識別するためのユーザー情報を取得するユーザー情報取得ステップと、ユーザーにより貸出処理が選択された場合、前記ユーザー情報取得ステップにより取得されたユーザー情報及び前記認識処理ステップにより文字認識された図書の書誌情報を関連付け、関連付けられた前記ユーザー情報及び前記書誌情報を用いて貸出処理を行うよう前記業務管理システムに要求し、図書館業務の貸出業務に関する処理を提供するステップと、を有する。
【００１３】
また、本発明は、前述した方法をコンピュータに実行させるためのプログラム、このプログラムを記録したコンピュータに読み取り可能な記録媒体として実現することも可能である。
【発明の効果】
【００１４】
本発明によれば、画像配信システムと図書館業務管理システムとの連携を図り、ユーザーの作業を簡単化することができる。
【図面の簡単な説明】
【００１５】
【図１】実施例におけるシステムの一例を示す図。
【図２】実施例におけるＭＦＰのハードウェアの一例を示すブロック図。
【図３】実施例における画像配信装置のハードウェアの一例を示すブロック図。
【図４】実施例における業務管理サーバの機能の一例を示すブロック図。
【図５】実施例におけるＭＦＰの機能の一例を示すブロック図。
【図６】書誌情報が記載されたページの一例を示す図。
【図７】図書館業務選択画面の一例を示す図。
【図８】実施例における画像配信装置の機能の一例を示すブロック図。
【図９】実施例における画像配信処理の一例を示すフローチャート。
【図１０】図書館の業務を支援する処理の一例を示すフローチャート。
【発明を実施するための形態】
【００１６】
以下、添付図面を参照して、本発明にかかる実施例を詳細に説明する。また、以下に示す実施例では、画像データを入力する画像入力装置として、プリンタ機能、スキャナ機能、コピー機能、ファクシミリ機能を一つの筐体に搭載した複合機（ＭＦＰ）を例にあげて説明する。
【００１７】
［実施例］
＜システムとハードウェア＞
図１は、実施例におけるシステムの一例を示す図である。図１に示すように、ネットワークを介して図書館業務管理システム１と画像配信システム２とが接続されている。
【００１８】
図書館業務管理システム１は、情報処理端末（ＰＣ：Personal Computer）１０、２０、ＤＢ（Data Base）を備える業務管理サーバ３０を含む。画像配信システム２は、ＭＦＰ（Multifunction Peripheral）４０、画像配信装置（配信サーバ）５０を含む。画像配信装置５０は、画像を処理するという意味で画像処理装置でもある。本実施例では、図書館業務管理システム１と画像配信システム２との連携を図り、それぞれのシステムでの作業を簡単化する。
【００１９】
情報処理端末１０，２０は、図書館業務管理システム１内でのクライアント端末である。情報処理端末１０，２０は、業務管理サーバ３０にアクセスして、業務管理サーバ３０が有する図書の受入処理や貸出処理、返却処理、検索処理などの図書館業務を実行する。
【００２０】
業務管理サーバ３０は、図書の書誌情報などを管理するＤＢを備え、図書館業務における各機能を実行するアプリケーションを有する。
【００２１】
ＭＦＰ４０は、スキャン機能、コピー機能、プリンタ機能、ファクシミリ機能などを一つの筐体に搭載したものである。ＭＦＰ４０は、スキャナ機能により紙媒体等をスキャン処理して画像データを生成し、生成された画像データを画像配信装置５０に送信する。ＭＦＰ４０の詳細については後述する。また、画像データは、文書の画像データを含む。
【００２２】
画像配信装置５０は、ＭＦＰ４０でスキャンされた画像データを受信して、指定された配信フローに従って種々の処理や配信処理を実行するワークステーション等のコンピュータである。配信フローには、メール送信、ＦＡＸ送信、フォルダー配信などがある。
【００２３】
また、画像配信装置５０は、入力された画像データに基づいて配信フローを実行するサーバであり、ユーザーによって構築された配信フローに従って文書の蓄積又は配信処理を実行する。画像配信装置５０の詳細については後述する。なお、画像配信装置５０は、ＭＦＰ４０に組み込まれてもよい。
【００２４】
なお、ネットワークを介して接続されるＭＦＰやサーバや情報処理端末の数は、それぞれ任意の数でもよい。また、画像配信システム２は、メール配信サーバなどを有してもよい。
【００２５】
実施例におけるＭＦＰ４０と画像配信装置５０とのハードウェアについて説明する。図２は、実施例におけるＭＦＰ４０のハードウェアの一例を示すブロック図である。図２に示すように、ＭＦＰ４０は、制御部４１、主記憶部４２、補助記憶部４３、外部記録装置Ｉ／Ｆ部４４、ネットワークＩ／Ｆ部４６、操作部４７、表示部４８、エンジン部４９を含む。これら各構成は、バスを介して相互にデータ送受信可能に接続されている。
【００２６】
制御部４１は、コンピュータの中で、各装置の制御やデータの演算、加工を行うＣＰＵである。また、制御部４１は、主記憶部４２に記憶されたプログラムを実行する演算装置であり、入力装置や記憶装置からデータを受け取り、演算、加工した上で、出力装置や記憶装置に出力する。
【００２７】
主記憶部４２は、ＲＯＭ（Read Only Memory）やＲＡＭ（Random Access Memory）などであり、制御部４１が実行する基本ソフトウェアであるＯＳやアプリケーションソフトウェアなどのプログラムやデータを記憶又は一時保存する記憶装置である。
【００２８】
補助記憶部４３は、ＨＤＤ（Hard Disk Drive）などであり、アプリケーションソフトウェアなどに関連するデータを記憶する記憶装置である。
【００２９】
外部記録装置I／F部４４は、ＵＳＢ（Universal Serial Bus）などのデータ伝送路を介して接続された記録媒体４５（例えば、フラッシュメモリなど）とＭＦＰ４０とのインタフェースである。
【００３０】
また、記録媒体４５に、所定のプログラムを格納し、この記録媒体４５に格納されたプログラムは外部記録装置Ｉ／Ｆ部４４を介してＭＦＰ４０にインストールされ、インストールされた所定のプログラムはＭＦＰ４０により実行可能となる。
【００３１】
ネットワークＩ／Ｆ部４６は、有線及び／又は無線回線などのデータ伝送路により構築されたＬＡＮ（Local Area Network）、ＷＡＮ（Wide Area Network）などのネットワークを介して接続された通信機能を有する周辺機器とＭＦＰ４０とのインタフェースである。
【００３２】
操作部４７や表示部４８は、キースイッチ（ハードキー）とタッチパネル機能（ＧＵＩのソフトウェアキーを含む：Graphical User Interface）を備えたＬＣＤ（Liquid Crystal Display）とから構成され、ＭＦＰ４０が有する機能を利用する際のＵＩ（User Interface）として機能する表示及び／又は入力装置である。
【００３３】
エンジン部４９は、画像データの入出力ユニットとして、紙原稿の読み取り転写紙への印刷を行う。エンジン部４９は、スキャナエンジン、検索エンジンなどを含んでもよい。
【００３４】
図３は、実施例における画像配信装置５０のハードウェアの一例を示すブロック図である。図３に示すように、画像配信装置５０は、制御部５１、主記憶部５２、補助記憶部５３、外部記録装置Ｉ／Ｆ部５４、ネットワークＩ／Ｆ部５６、入力部５７、表示部５８を含む。これら各構成は、バスを介して相互にデータ送受信可能に接続されている。
【００３５】
制御部５１は、コンピュータの中で、各装置の制御やデータの演算、加工を行うＣＰＵである。また、制御部５１は、主記憶部５２に記憶されたプログラムを実行する演算装置であり、入力装置や記憶装置からデータを受け取り、演算、加工した上で、出力装置や記憶装置に出力する。
【００３６】
主記憶部５２は、ＲＯＭ（Read Only Memory）やＲＡＭ（Random Access Memory）などであり、制御部５１が実行する基本ソフトウェアであるＯＳやアプリケーションソフトウェアなどのプログラムやデータを記憶又は一時保存する記憶装置である。
【００３７】
補助記憶部５３は、ＨＤＤ（Hard Disk Drive）などであり、アプリケーションソフトウェアなどに関連するデータを記憶する記憶装置である。
【００３８】
外部記録装置I／F部５４は、ＵＳＢ（Universal Serial Bus）などのデータ伝送路を介して接続された記録媒体５５（例えば、フラッシュメモリなど）と画像配信装置５０とのインタフェースである。
【００３９】
また、記録媒体５５に、所定のプログラムを格納し、この記録媒体５５に格納されたプログラムは外部記録装置Ｉ／Ｆ部５４を介して画像配信装置５０にインストールされ、インストールされた所定のプログラムは画像配信装置５０により実行可能となる。
【００４０】
ネットワークＩ／Ｆ部５６は、有線及び／又は無線回線などのデータ伝送路により構築されたＬＡＮ（Local Area Network）、ＷＡＮ（Wide Area Network）などのネットワークを介して接続された通信機能を有する周辺機器と画像配信装置５０とのインタフェースである。
【００４１】
入力部５７は、カーソルキー、数字入力及び各種機能キー等を備えたキーボード、表示部５８の表示画面上でキーの選択等を行うためのマウスやスライスパット等を有する。また、入力部５７は、ユーザーが制御部５１に操作指示を与えたり、データを入力したりするためのユーザーインタフェースである。
【００４２】
表示部５８は、ＣＲＴやＬＣＤ等により構成され、制御部５１から入力される表示データに応じた表示が行われる。なお、業務管理サーバ３０や情報処理端末１０，２０も、画像配信装置３０と同様のハードウェアを有する。
【００４３】
＜機能＞
１．業務管理サーバ
図４は、実施例における業務管理サーバ３０の機能の一例を示すブロック図である。図４に示すように、業務管理サーバ３０は、通信手段１０１、受入手段１０３、貸出手段１０５、返却手段１０７、検索手段１０９、ＤＢ１１１を含む。
【００４４】
通信手段１０１は、外部の機器に対し、データの送受信を行う。通信手段１０１は、例えば、情報処理端末１０，２０と図書館の業務に関するデータの送受信を行う。通信手段１０１は、画像配信システム２から図書館業務の実行要求を受けたり、図書の書誌情報を画像配信システム２に送信したりする。
【００４５】
受入手段１０３は、新規図書の受入を行う。受入手段１０３は、図書館職員により入力された書誌情報の入力値を取得し、ＤＢ１１１に登録する。書誌情報には、例えば、図書の発行年月日、著者名、出版社、国際標準図書番号（ＩＳＢＮ）などがある。
【００４６】
貸出手段１０５は、図書の貸出管理を行う。貸出手段１０５は、例えば、バーコードリーダーなどで読み取られたユーザーを識別するためのユーザー情報と、図書館独自で付与したユニークな識別情報とを関連付け、貸出管理データベースに登録する。この識別情報は、バーコードなどに変換され、図書に付与される。ユーザー情報や図書の識別情報は、例えば、貸し出し用の端末である情報処理端末１０から送信される。
【００４７】
返却手段１０７は、図書の返却管理を行うアプリケーションである。返却手段１０７は、例えば、バーコードリーダーなどで読み取られた図書の識別情報を取得し、この識別情報に関連付けられた情報を貸出管理データベースから削除する。例えば、図書の識別情報は、返却用の端末である情報処理装置２０から送信される。
【００４８】
検索手段１０９は、図書の検索処理を行う。検索手段１０９は、所定のキーに基づいて、ＤＢ１１１から所定のキーを有する図書を検索する。所定のキーとは、例えば、著者名や出版社名などの書誌情報の一つ又は複数である。
【００４９】
また、受入手段１０３、貸出手段１０５、返却手段１０７、検索手段１０９などの図書館業務の各機能は、画像配信システム２から処理要求を受けた場合でも、その機能における処理を実行する。
【００５０】
ＤＢ１１１は、図書の書誌情報の管理を行うデータベースである。ＤＢ１１１は、図書の書誌情報や識別情報を関連付けて記憶する。
【００５１】
なお、受入手段１０３、貸出手段１０５、返却手段１０７、検索手段１０９は、業務管理サーバ３０の例えば制御部や主記憶部により実現されうる。また、通信手段１０１は、業務管理サーバ３０の例えばネットワークＩ／Ｆ部により実現されうる。
【００５２】
２．ＭＦＰ
図５は、ＭＦＰ４０の機能の一例を示すブロック図である。図５に示すように、ＭＦＰ４０は、画像読込手段２０１、配信制御手段２０３、通信手段２０５、業務選択手段２０７、表示制御手段２０９、ユーザー情報取得手段２１１を含む。その他一般的なＭＦＰが有するプリンタ機能やコピー機能やＦＡＸ機能等については図示していない。
【００５３】
画像読込手段２０１は、スキャン機能により図書を読み込んで画像データを取得する。画像データの取得については、ＦＡＸで受信したり、ネットワーク上のホットフォルダーから取得したりしてもよい。例えば、画像読込手段２０１は、図書の書誌情報が記載されているページを読み込むとする。また、画像読込手段２０１は、図書の識別情報が変換されたバーコードが付与された表紙又は裏表紙を読み込んでもよい。
【００５４】
図６は、書誌情報が記載されたページの一例を示す図である。画像読込手段２０１は、図６に示すようなページを読み込んで、この画像データを通信手段２０５に出力する。図６に示す書誌情報は、発行年月日、著者、発行者、印刷所、ＩＳＢＮがある。
【００５５】
図５に戻り、配信制御手段２０３は、ユーザーからの配信フローの指定を受け付ける。配信制御手段２０３は、選択可能な配信フローを画像配信装置５０の記憶手段３１１から取得しておく。配信フローの指定は、ＭＦＰ４０のオペレーションパネル（操作部４７及び表示部４８）を用いて行われる。配信制御手段２０３は、指定された配信フローに従って画像データが配信されるように、通信手段２０５を介して画像配信装置５０に配信要求を行う。
【００５６】
このとき、配信フローに含まれる処理の書誌情報がユーザーから入力されてもよい。書誌情報とは、例えば、画像変換処理の場合は、画像形式や画像サイズなどであり、メール配信の場合は、配信先のメールアドレスなどである。また、書誌情報としてＩＳＢＮを入力させるようにしてよい。ただし、スキャンする図書の書誌情報は、後述するように画像配信装置５０により取得される。
【００５７】
通信手段２０５は、外部の機器と、機器情報や画像データなどの送受信を行う。通信手段２０５は、画像データの配信フロー処理要求などが配信制御手段２０３から要求された場合、画像データ及びこの処理要求を画像配信装置５０に送信する。また、通信手段２０５は、画像配信装置５０から図書の検索結果を受信した場合、この検索結果を表示制御手段２０９に出力する。また、この検索結果は、表示されるだけでなくプリンタエンジン（エンジン部１９）により印刷されてもよい。
【００５８】
業務選択手段２０７は、図書館業務管理システム１における業務の選択を受け付ける。例えば、業務選択手段２０７は、業務選択画面を表示するよう表示制御手段２０９に指示する。また、業務選択手段２０７は、ユーザーにより選択された業務を受け付ける。
【００５９】
図７は、図書館業務選択画面の一例を示す図である。図７に示すように、受入ボタン、貸出ボタン、返却ボタン、検索ボタンが表示される。業務選択手段２０７は、このボタンの押下を検知して、押下されたボタンに対応する業務の処理要求を、通信手段２０５を介して画像配信装置５０に送信する。
【００６０】
図５に戻り、表示制御手段２０９は、各種画面の表示制御を行う。例えば、表示制御手段２０９は、図書館業務選択画面や図書館業務管理システム１により検索された検索結果画面を表示制御する。
【００６１】
ユーザー情報取得手段２１１は、ＭＦＰ４０の利用を許可するためにユーザー情報を取得する。ユーザー情報取得手段２１１は、例えばＭＦＰ４０に外付けされたカードリーダーなどにより読み取られたユーザー情報を取得する。ユーザー情報は、必要に応じて通信手段２０５を介して画像配信装置５０に送信される。ユーザー情報は、ユーザーを識別するための情報である。
【００６２】
画像読込手段２０１は、エンジン部４９のスキャナにより実現されうる。配信制御手段２０３、表示制御手段２０９、ユーザー情報取得手段２１１は、例えば制御部４１及びワークメモリとしての主記憶部４２により実現されうる。通信手段２０５は、例えば制御部４１によりネットワークＩ／Ｆ部４６が制御されて実現されうる。業務選択手段２０７は、例えば制御部４１、操作部４７などにより実現されうる。
【００６３】
３．画像配信装置
図８は、画像配信装置５０の機能の一例を示すブロック図である。図８に示すように、
画像配信装置５０は、配信フロー管理手段３０１、通信手段３０３、配信手段３０４、記憶手段３１１、書誌情報取得手段３１３、業務要求手段３１５、文字認識手段３１７、識別子読取手段３１９を含む。
【００６４】
配信フロー管理手段３０１は、画像変換処理、又は出力処理の各プラグインを任意に組み合わせた配信フローをユーザーにより設定された場合、設定された配信フローを例えばＸＭＬ形式で記憶手段３１１に記憶する。配信フロー管理手段３０１は、情報処理端末に表示する配信フロー設定のためのＵＩ画面などを制御する。また、配信フロー管理手段３０１は、画像配信システム２の管理ツールとしても機能する。
【００６５】
通信手段３０３は、機器情報や画像データなどの送受信を行う。通信手段３０３は、ＭＦＰ４０から画像データを受信したり、配信フローの配信先に対し、画像処理した画像データを送信したりする。
【００６６】
また、通信手段３０３は、配信フローの識別情報や、配信フローの各処理の書誌情報などをＭＦＰ４０から受信する。通信手段３０３は、ＭＦＰ４０から配信フローの処理要求（ジョブ要求）を受信した場合は、配信フローの識別情報や、配信フローの各処理の書誌情報などをジョブ実行手段３０５に出力する。
【００６７】
また、通信手段３０３は、ＭＦＰ４０から、図書館業務管理システム１における業務の処理要求を受けた場合、業務要求手段３１５にその旨を通知する。通信手段３０３は、業務要求手段３１５から図書の検索結果の送信要求を受けた場合、この検索結果をＭＦＰ４０に送信する。
【００６８】
配信手段３０４は、配信フローに従って画像データの配信処理を行う。配信フローとは、画像データを出力するまでの各処理を組み合わせた処理フローである。配信手段３０４は、ジョブ実行手段３０５、配信フロー制御手段３０７、配信フロー処理手段３０９を含む。
【００６９】
ジョブ実行手段３０５は、ＭＦＰ４０から要求されたジョブを実行する。ジョブ実行手段３０５は、配信フロー制御手段３０７に対し、配信フローの処理要求を行うと共に、配信フローの識別情報や配信フローの各処理の書誌情報、画像データを出力する。
【００７０】
配信フロー制御手段３０７は、ジョブ実行手段３０５から配信フローの処理要求を受けた場合、配信フローに含まれる各処理の実行を制御する。
【００７１】
配信フロー処理手段３０９は、配信フロー制御手段３０７から配信フロー制御の指示を受けると、この指示に従って配信フローを実行し、配信処理を行う。つまり、配信フロー処理手段３０９は、配信フローに含まれる各処理をフロー順に実行し、配信先へ画像データを配信する。
【００７２】
なお、配信フロー処理手段３０９が行う各処理は、画像変換処理、出力処理（配信処理）などに分けられる。画像変換処理とは、ＰＤＦ変換やＴＩＦＦ変換などの画像データの形式変換を行う処理などのことを言う。出力処理とは、取得した画像データ又は画像変換された画像データを配信先（メール配信サーバや画像管理サーバなど）に配信する処理のことを言う。また、配信フロー処理手段３０９において、少なくとも出力処理は行われることとする。
【００７３】
配信手段３０４は、実行する配信フローが、図書の画像データを配信対象とする配信フローの場合、書誌情報取得手段３１３から書誌情報が付与された画像データを取得し、この画像データに対し、配信処理を行う。
【００７４】
記憶手段３１１は、画像変換処理、又は出力処理の各プラグインを格納し、また、各プラグインが組み合わされた配信フローを１又は複数格納する。
【００７５】
書誌情報取得手段３１３は、配信対象の画像データを通信手段３０３から取得する。書誌情報取得手段３１３は、取得した画像データに対し、文字認識手段３１７により文字認識処理を行わせて、例えばＩＳＢＮの番号を取得する。また、書誌情報取得手段３１３は、画像データにＩＳＢＮが書誌情報として入力されている場合は、そのＩＳＢＮの番号を取得する。
【００７６】
書誌情報取得手段３１３は、取得したＩＳＢＮをキーにして、図書館業務管理システム１のＤＢ１１１からこのＩＳＢＮを有する書誌情報を取得する。取得する書誌情報は、例えば、図書名、著者名、出版社名、発行年月日などである。ＤＢ１１１には、図書館が配架している図書の書誌情報が管理されている。例えば、ＤＢ１１１には、図書名、ＩＳＢＮ、著者名、出版社名、発行年月日などの書誌情報と、その図書館独自で図書に付与された識別情報などが管理されている。図書館独自の識別情報は、バーコードなどを用いて図書に付与される。
【００７７】
また、書誌情報取得手段３１３は、配信対象の画像データにバーコードが含まれる場合、識別子読取手段３１９にバーコードを読み取らせて、識別情報を取得する。書誌情報取得手段３１３は、この識別情報をキーにして図書館業務管理システム１のＤＢ１１１から書誌情報を取得してもよい。
【００７８】
書誌情報取得手段３１３は、図書館業務管理システム１から取得した書誌情報を配信対象の画像データの書誌情報とし、配信手段３０５に出力する。これにより、図書館業務管理システム１から取得した書誌情報を画像データに付与して配信先に配信するため、書誌情報を入力する手間が省け、作業を簡単化することができる。
【００７９】
業務要求手段３１５は、通信手段３０３を介して、ＭＦＰ４０から図書館業務の処理要求を受ける。図書館業務には、例えば受入処理、貸出処理、返却処理、検索処理などがある。よって、業務要求手段３１５は、受入（登録）要求手段、貸出要求手段、返却要求手段、検索要求手段でもある。以下、業務要求手段３１５がいずれかの処理要求を受けた場合の機能について、順に説明する。
【００８０】
（１）受入処理
ユーザーが、図７に示すような選択画面から受入ボタンを選択したとする。ＭＦＰ４０は、図書の画像データとともに受入の処理要求を画像配信装置５０に送信する。業務要求手段３１５は、受入の処理要求を受けると、通信手段３０３から画像データを取得する。業務要求手段３１５は、取得した画像データを文字認識手段３１７に出力し、文字認識処理を実行させる。
【００８１】
文字認識手段３１７は、業務要求手段３１５から取得した画像データに対し、文字認識処理を行い、書誌情報を取得する。例えば、図書名、著者名、出版社名、発行年月日などが取得される。このとき、読み取った図書名、著者名などの項目に対し、各項目に対応する文字を関連付けておく。これによりＤＢ１１１に登録できるようになる。文字認識手段３１７は、取得した書誌情報を業務要求手段３１５に出力する。
【００８２】
業務要求手段３１５は、文字認識手段３１７から書誌情報を取得し、この書誌情報とともに受入処理要求を、通信手段３０３を介して図書館業務管理システム１に送信する。
【００８３】
図書館業務管理システム１の受入手段１０３は、画像配信システム２から書誌情報とともに受入処理要求を受けた場合、ＤＢ１１１に書誌情報を登録し、この図書に対し、図書館独自の識別情報を割り当てる。この識別情報は、バーコードにして印刷され、この図書に付与されるようにしてもよい。
【００８４】
これにより、図書館職員が受入処理を行う際、図書に関する書誌情報を入力する手間が省け、作業を簡単化し、図書館業務の受入処理を支援することができる。
【００８５】
（２）貸出処理
ユーザーが、図７に示すような選択画面から貸出ボタンを選択したとする。ＭＦＰ４０は、図書の画像データ、ユーザー情報とともに貸出の処理要求を画像配信装置５０に送信する。業務要求手段３１５は、貸出の処理要求を受けると、通信手段３０３からユーザー情報及び画像データを取得する。業務要求手段３１５は、取得した画像データを識別子読取手段３１９に出力し、画像データ内のバーコードを読み取らせる。
【００８６】
ここで、貸出処理を要求する場合には、図書館で付与されたバーコードがスキャンされていることを前提とする。つまり、この画像データはバーコードを含む。
【００８７】
識別子読取手段３１９は、画像データ内のバーコードを読み取り、図書館独自で図書に付与した図書の識別情報を取得する。識別子読取手段３１９は、読み取った識別情報を業務要求手段３１５に出力する。
【００８８】
業務要求手段３１５は、識別子読取手段３１９から識別情報を取得し、この識別情報及びユーザー情報とともに貸出要求を、通信手段３０３を介して図書館業務管理システム１に送信する。
【００８９】
図書館業務管理システム１の貸出手段１０５は、画像配信システム２から図書の識別情報及びユーザー情報とともに貸出処理要求を受けた場合、貸出管理データベースに登録する。これにより、図書館職員がバーコードを読み取って貸し出し業務を行う必要がなく、ユーザーが、ユーザー情報が埋め込まれたＩＤカードをＭＦＰ４０のカードリーダーに通し、借りたい本のバーコードをスキャンさせることにより、貸出処理を行うことができる。
【００９０】
また、ユーザー情報がバーコードの場合、所定の位置に、ユーザー情報を有するバーコード、その他の所定の位置に図書のバーコードをスキャンさせることで、識別子読取手段３１９が、両方のバーコードを読み取り、ユーザー情報と図書の識別情報とを取得する。
【００９１】
業務要求手段３１５は、識別子読取手段３１９からユーザー情報と図書の識別情報とを取得した後に前述した処理を行えば、ユーザー情報がバーコードであっても、貸出業務を支援することができる。
【００９２】
（３）返却処理
ユーザーが、図７に示すような選択画面から返却ボタンを選択したとする。ＭＦＰ４０は、図書の画像データとともに返却の処理要求を画像配信装置５０に送信する。業務要求手段３１５は、返却の処理要求を受けると、通信手段３０３から画像データを取得する。業務要求手段３１５は、取得した画像データを識別子読取手段３１９に出力し、画像デー内のバーコードを読み取らせる。
【００９３】
ここで、返却処理を要求する場合には、図書館で付与されたバーコードがスキャンされていることを前提とする。つまり、画像データはバーコードを含む。
【００９４】
識別子読取手段３１９は、画像データ内のバーコードを読み取り、図書の識別情報を取得する。識別子読取手段３１９は、読み取った識別情報を業務要求手段３１５に出力する。
【００９５】
業務要求手段３１５は、識別子読取手段３１９から図書の識別情報を取得し、この識別情報とともに返却要求を、通信手段３０３を介して図書館業務管理システム１に送信する。
【００９６】
図書館業務管理システム１の返却手段１０７は、画像配信システム２から図書の識別情報とともに返却要求を受けた場合、貸出管理データベースからこの識別情報に関する項目を削除する。これにより、図書館職員がバーコードを読み取って返却業務を行う必要がなく、ユーザーが図書のバーコードをスキャンすることにより、返却処理を行うことができる。この機能により、返却処理の支援をすることができる。
【００９７】
（４）検索処理
ユーザーが、図７に示すような選択画面から検索ボタンを選択したとする。ＭＦＰ４０は、図書の画像データとともに検索の処理要求を画像配信装置５０に送信する。業務要求手段３１５は、検索の処理要求を受けると、通信手段３０３から画像データを取得する。業務要求手段３１５は、取得した画像データを文字認識手段３１７に出力し、画像データ内の書誌情報を読み取らせる。
【００９８】
ここで、検索を要求する場合には、図書の最終ページ近辺にある書誌情報が記載されたページがスキャンされていることを前提とする。なお、図書館のバーコードが付与されている場合は、バーコードがスキャンされてもよい。
【００９９】
文字認識手段３１７は、画像データに文字認識処理を行い、書誌情報を取得する。文字認識手段３１７は、認識した書誌情報を業務要求手段３１５に出力する。
【０１００】
業務要求手段３１５は、文字認識手段３１７から書誌情報を取得し、この書誌情報と共に検索要求を、通信手段３０３を介して図書館業務管理システム１に送信する。
【０１０１】
図書館業務管理システム１の検索手段１０９は、画像配信システム２から書誌情報とともに検索要求を受けた場合、ＤＢ１１１からこの書誌情報と類似する書誌情報を有する図書を検索する。検索手段１０９は、類似する図書の書誌情報を検索結果とし、この検索結果を画像配信システム２の業務要求手段３１５に送信する。
【０１０２】
業務要求手段３１５は、検索結果を図書館業務管理システム１から取得した場合、通信手段３０３を介して検索結果をＭＦＰ４０に送信する。
【０１０３】
ＭＦＰ４０の表示制御手段２０９は、画像配信装置５０から検索結果を取得した場合、検索結果を表示部４８に表示する。これにより、ユーザーは、図書の書誌情報が記載されたページをスキャンすることにより、その書誌情報に類似する図書の提案を受けることができる。
【０１０４】
＜動作＞
次に、実施例におけるシステムの動作について説明する。図９は、実施例における画像配信処理の一例を示すフローチャートである。ステップＳ１０１で、画像読込手段２０１は、ユーザーにより図書の所定のページをスキャンされ、画像データを生成する。このとき、図書の画像データを配信する配信フローが選択されている。
【０１０５】
ステップＳ１０２で、配信制御手段２０３は、図書を読み込んで生成された画像データとともに、選択された配信フローの配信要求を画像配信装置５０に行う。
【０１０６】
ステップＳ１０３で、画像配信装置５０の書誌情報取得手段３１３は、画像データに対し文字認識処理を実行させ、ＩＳＢＮを取得する。なお、書誌情報取得手段３１３は、ユーザーにより入力された書誌情報のＩＳＢＮが画像データに付与されている場合は、そのＩＳＢＮを取得する。
【０１０７】
ステップＳ１０４で、書誌情報取得手段３１３は、取得したＩＳＢＮをキーにして、図書館業務管理システム１からこのＩＳＢＮを有する図書の書誌情報を取得する。書誌情報取得手段３１３は、書誌情報取得手段３１３は、取得した書誌情報を画像データの書誌情報として付与する。
【０１０８】
ステップＳ１０５で、配信手段３０４は、図書館業務管理システム１から取得した書誌情報が付与された画像データを、選択された配信フローに従って配信処理を行う。
【０１０９】
これにより、ユーザーがスキャンする図書の書誌情報を入力しなくても、図書館業務管理システム１から書誌情報を取得し、この書誌情報を画像データに付与して配信することができる。
【０１１０】
図１０は、図書館の業務を支援する処理の一例を示すフローチャートである。図１０に示すステップＳ２０１で、業務選択手段２０７は、ユーザーが選択した業務を受け付ける。
【０１１１】
ステップＳ２０２で、画像読込手段２０１は、図書の所定のページがスキャンされ、このページの画像データを生成する。このとき、選択された業務が受け入れの場合、書誌情報が記載されたページがスキャンされる。また、選択された業務が貸出、返却の場合、図書館が付与したバーコードがスキャンされる。選択された業務が検索の場合、書誌情報が記載されたページ、又はバーコードどちらかがスキャンされる。
【０１１２】
ステップＳ２０３で、業務選択手段２０７は、選択された業務が「貸出」であるか否かを判定する。「貸出」が選択されていた場合（ステップＳ２０３−ＹＥＳ）、ステップＳ２０４に進み、「貸出」以外が選択されていた場合（ステップＳ２０３−ＮＯ）、ステップＳ２０７に進む。
【０１１３】
ステップＳ２０４で、識別子読取手段３１９は、業務要求手段３１５からの要求により、画像データのバーコードを読み取る。ここでは、ユーザー情報のバーコード、図書の識別情報のバーコードがスキャンされているとする。ステップＳ２０５で、識別子読取手段３１９は、両バーコードからユーザー情報、図書の識別情報を取得する。
【０１１４】
ステップＳ２０６で、業務要求手段３１５は、ユーザー情報と図書の識別情報とを識別子読取手段３１９から取得する。業務要求手段３１５は、取得したユーザー情報と図書の識別情報とともに貸出要求を、通信手段３０３を介して図書管理業務システム１に送信する。
【０１１５】
ステップＳ２０７で、業務選択手段２０７は、選択された業務が「返却」であるか否かを判定する。「返却」が選択されていた場合（ステップＳ２０７−ＹＥＳ）、ステップＳ２０８に進み、「返却」が選択されていなかった場合（ステップＳ２０７−ＮＯ）、ステップＳ２１１に進む。
【０１１６】
ステップＳ２０８で、識別子読取手段３１９は、業務要求手段３１５からの要求により、画像データのバーコードを読み取る。ここでは、図書の識別情報のバーコードがスキャンされているとする。ステップＳ２０９で、識別子読取手段３１９は、図書の識別情報を取得する。
【０１１７】
ステップＳ２１０で、業務要求手段３１５は、図書の識別情報を識別子読取手段３１９から取得する。業務要求手段３１５は、取得した図書の識別情報とともに返却要求を、通信手段３０３を介して図書館業務管理システム１に送信する。
【０１１８】
ステップＳ２１１で、業務選択手段２０７は、選択された業務が「検索」であるか否かを判定する。「検索」が選択されていた場合（ステップＳ２１１−ＹＥＳ）、ステップＳ２１２に進み、「検索」が選択されていなかった場合（ステップＳ２１１−ＮＯ）、ステップＳ２１５に進む。
【０１１９】
ステップＳ２１２で、文字認識手段３１７は、業務要求手段３１５からの要求により、画像データに対して文字認識処理を行う。ここでは、図書の書誌情報が記載されたページがスキャンされているとする。ステップＳ２１３で、文字認識手段３１７は、図書の書誌情報を取得する。
【０１２０】
ステップＳ２１４で、業務要求手段３１５は、図書の書誌情報を文字認識手段３１７から取得する。業務要求手段３１５は、取得した図書の書誌情報とともに検索要求を、通信手段３０３を介して図書館業務管理システム１に送信する。
【０１２１】
ステップＳ２１５で、業務選択手段２０７は、選択された業務が「受入」であるか否かを判定する。「受入」が選択されていた場合（ステップＳ２１５−ＹＥＳ）、ステップＳ２１６に進み、「受入」が選択されていなかった場合（ステップＳ２１５−ＮＯ）、処理を終了する。
【０１２２】
ステップＳ２１６で、文字認識手段３１７は、業務要求手段３１５からの要求により、画像データに対して文字認識処理を行う。ここでは、図書の書誌情報が記載されたページがスキャンされているとすると、ステップＳ２１７で、文字認識手段３１７は、図書の書誌情報を取得する。
【０１２３】
ステップＳ２１７で、業務要求手段３１５は、図書の書誌情報を文字認識手段３１７から取得する。業務要求手段３１５は、取得した図書の書誌情報とともにＤＢ１１１への登録要求を、通信手段３０３を介して図書館業務管理システム１に送信する。これにより、図書館職員の図書館業務における入力作業を省くことができ、画像配信システム２から図書館業務管理システム１の業務を支援することができる。
【０１２４】
以上、実施例によれば、画像配信システムと図書館業務管理システムとの連携を図り、各システムでの作業を簡単化することができる。また、実施例によれば、画像配信時の書誌データに対し、図書館業務管理システムから取得することで書誌情報の入力を省くことができる。また、実施例によれば、画像配信システムから業務の処理要求と必要な情報を図書館業務管理システムに送信することで、図書館職員の作業を省くことができる。
【０１２５】
なお、画像配信時に図書の書誌情報を取得する先は、図書館業務管理システムに限られず、図書の書誌情報を有するデータベースであれば何でもよい。
【０１２６】
［変形例］
次に、変形例におけるＭＦＰについて説明する。変形例では、前述した画像配信装置がＭＦＰに組み込まれている。なお、変形例におけるＭＦＰのハードウェアは、実施例と同様であるため、説明を省略する。
【０１２７】
変形例における画像配信装置が組み込まれたＭＦＰの各機能は、基本的には図５に示すＭＦＰの機能と図８に示す画像配信装置の機能と同様である。これにより、変形例におけるＭＦＰによれば、ＭＦＰ単体で、実施例に示した処理を行なうことができる。
【０１２８】
実施例の画像配信装置や変形例のＭＦＰで実行されるプログラムは、インストール可能な形式又は実行可能な形式のファイルでＣＤ−ＲＯＭ、フレキシブルディスク（ＦＤ）、ＣＤ−Ｒ、ＤＶＤ（Digital Versatile Disk）等のコンピュータで読み取り可能な記録媒体に記録されて提供される。
【０１２９】
また、実施例の画像配信装置や変形例のＭＦＰで実行されるプログラムを、インターネット等のネットワークに接続されたコンピュータ上に格納し、ネットワーク経由でダウンロードさせることにより提供するように構成してもよい。また、実施例の画像配信装置や変形例のＭＦＰで実行されるプログラムをインターネット等のネットワーク経由で提供または配布するように構成してもよい。
【０１３０】
また、実施例の画像配信装置や変形例のＭＦＰで実行されるプログラムを、ＲＯＭ等に予め組み込んで提供するように構成してもよい。
【０１３１】
実施例の画像配信装置や変形例のＭＦＰで実行されるプログラムは、前述した各手段を含むモジュール構成となっており、実際のハードウェアとしてはＣＰＵ（プロセッサ）が補助記憶部からプログラムを読み出して実行することにより上記各手段のうち１又は複数の各手段が主記憶部上にロードされ、１又は複数の各手段が主記憶部上に生成されるようになっている。
【０１３２】
なお、本発明は、上記実施例そのままに限定されるものではなく、実施段階ではその要旨を逸脱しない範囲で構成要素を変形して具体化することができる。また、上記実施例に開示されている複数の構成要素の適宜な組み合わせにより、種々の発明を形成することができる。例えば、実施例に示される全構成要素からいくつかの構成要素を削除してもよい。
【符号の説明】
【０１３３】
１０、２０  情報処理端末
３０  業務管理サーバ
４０  ＭＦＰ
５０  画像配信装置
２０１  画像読込手段
２０３  配信制御手段
２０５  通信手段
２０７  業務選択手段
２０９  表示制御手段
２１１  ユーザー情報取得手段
３０１  配信フロー管理手段
３０３  通信手段
３０４  配信手段
３０５  ジョブ実行手段
３０７  配信フロー制御手段
３０９  配信フロー処理手段
３１１  記憶手段
３１３  書誌情報取得手段
３１５  業務要求手段
３１７  文字認識手段
３１９  識別子読取手段
【先行技術文献】
【特許文献】
【０１３４】
【特許文献１】特開２００８−９７５８６号公報
【特許文献２】特開２００６−３１８２１２号公報
【図１】
2012053856.tif 000003
【図２】
2012053856.tif 000004
【図３】
2012053856.tif 000005
【図４】
2012053856.tif 000006
【図５】
2012053856.tif 000007
【図６】
2012053856.tif 000008
【図７】
2012053856.tif 000009
【図８】
2012053856.tif 000010
【図９】
2012053856.tif 000011
【図１０】
2012053856.tif 000012